(57)【要約】【課題】調理対象物がすべりやすい物であっても、容易に掴むことができるとともに、熱い物であっても、支障なく持つことを可能にするクッキンググローブを提供する。【解決手段】、クッキンググローブ（１００）は耐熱性素材からなり、５本指（１１０、１２０、１３０、１４０、１５０）に分かれており、表裏両面に面全体にわたって滑り止め用の凸部（１６０）が形成されており、左右両用として用いることができる。【選択図】    図１
0003116725.tif 000002
【実用新案登録請求の範囲】
【請求項１】
耐熱性素材からなり、５本指に分かれており、表裏両面に面全体にわたって滑り止め用の凸部が形成されている左右両用のクッキンググローブ。
【請求項２】
前記耐熱性素材はシリコンであることを特徴とする請求項１に記載のクッキンググローブ。
【考案の詳細な説明】
【技術分野】
【０００１】
本考案は調理の際に用いるクッキンググローブに関する。
【背景技術】
【０００２】
調理用のグローブとして、従来からミトンが用いられている。
【０００３】
ミトンは、通常の手袋が５本のそれぞれの指を入れる５個の指入れ部分を有しているのに対して、親指を入れる部分と、残りの４本の指を入れる部分の二つの指入れ部分を有している。
【考案の開示】
【考案が解決しようとする課題】
【０００４】
従来のミトンでは、親指以外の４本の指を自由に使えないため、調理対象物、特に、すべりやすい物を掴むという動作を行うことが難しかった。
【０００５】
また、従来のミトンの多くは布地製でできていたため、熱い物を持ったりすることはほとんど不可能であり、たとえ、持つことができたとしても、極めて短時間に限られていた。
【０００６】
本考案は、このような従来のミトンにおける欠点に鑑みてなされたものであり、調理対象物がすべりやすい物であっても、容易に掴むことができるとともに、熱い物であっても、支障なく持つことを可能にするクッキンググローブを提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【０００８】
上記の目的を達成するため、本考案は、耐熱性素材からなり、５本指（１１０、１２０、１３０、１４０、１５０）に分かれており、表裏両面に面全体にわたって滑り止め用の凸部（１６０）が形成されている左右両用のクッキンググローブ（１００）を提供する。
【０００９】
前記耐熱性素材としては、例えば、シリコンを用いることができる。
【考案の効果】
【００１０】
本考案に係るクッキンググローブは以下のような利点を有する。
【００１１】
第一に、本考案に係るクッキンググローブは５本指に分かれているため、従来のミトンとは異なり、全ての指を使うことができる。このため、従来のミトンと比較して、調理対象物、特に、すべりやすい物を容易に掴むことができる。
【００１２】
第二に、本考案に係るクッキンググローブは耐熱性素材からつくられているため、従来の布地製のミトンとは異なり、手で熱い物を持ったり、あるいは、熱湯の中に手を入れたりすることができる。
【００１３】
第三に、凸部が滑り止めとしての機能を果たすため、すべりやすい物でも容易に掴むことが可能である。
【００１４】
第四に、本考案に係るクッキンググローブは耐熱性を有しているため、例えば、食器乾燥機で乾燥させることも可能である。
【００１５】
第五に、凸部はクッキンググローブの表裏両面に形成されているため、クッキンググローブを左右両用に使用することができる。
【００１６】
また、本考案に係るクッキンググローブをシリコンでつくることにより、次のような効果を得ることができる。
【００１７】
第一に、布製の従来のミントと異なり、本考案に係るクッキンググローブは汚れたらすぐに水洗いすることが可能である。
【００１８】
第二に、滑り止めとして機能する凸部に加えて、シリコン素材はもともと滑り止めの機能が高いため、シリコンからなる凸部は高い滑り止めの機能を提供する。
【考案を実施するための最良の形態】
【００１９】
図１は、本考案の一実施形態に係るクッキンググローブ１００を一方の側から見たときの平面図であり、図２は、クッキンググローブ１００を他方の側から見たときの平面図である。
【００２０】
図１及び図２に示すように、本実施形態に係るクッキンググローブ１００は、通常の手袋と同様に、５本指に分かれている。すなわち、クッキンググローブ１００は、親指用の指入れ部分１１０と、人指し指用の指入れ部分１２０と、中指用の指入れ部分１３０と、薬指用の指入れ部分１４０と、小指用の指入れ部分１５０と、を備えている。
【００２１】
本実施形態に係るクッキンググローブ１００は耐熱性素材としてのシリコンからつくられている。シリコンの耐熱温度は約摂氏２２０度である。
【００２２】
本実施形態に係るクッキンググローブ１００の表裏両面には全面にわたって滑り止め用の凸部１６０が形成されている。凸部１６０はハート型をなしており、一列（水平方向に延びる列）毎にハートの上下が逆になるように配置されている。
【００２３】
図１及び図２に示すように、凸部１６０はクッキンググローブ１００の表裏両面に形成されているため、クッキンググローブ１００には表裏の区別がない。すなわち、本実施形態に係るクッキンググローブ１００は左手用としても使用することができるとともに、右手用としても使用することができる。このため、クッキンググローブ１００を二つ用意することにより、一方を左手に、他方を右手に嵌めることができる。
【００２４】
クッキンググローブ１００の下端（手を入れる側の端部）には穴１７０が設けられている。この穴１７０を介してクッキンググローブ１００を吊り下げフックに吊り下げることができる。
【００２５】
なお、この穴１７０は必ずしも常に設けることは必要ではない。
【００２６】
以上のような構造を有する本実施形態に係るクッキンググローブ１００は以下のような利点を有する。
【００２７】
第一に、本実施形態に係るクッキンググローブ１００は５本指に分かれているため、従来のミトンとは異なり、全ての指を使うことができるため、調理対象物、特に、すべりやすい物を容易に掴むことができる。
【００２８】
第二に、従来のミトンの多くは布地製でできていたため、熱い物を持つことができなかったが、本実施形態に係るクッキンググローブ１００は耐熱性素材としてのシリコンからつくられているため、手で熱い物を持ったり、あるいは、熱湯の中に手を入れたりすることができる。
【００２９】
第三に、凸部１６０が滑り止めとしての機能を果たすため、すべりやすい物でも容易に掴むことが可能である。例えば、濡れたジャガイモや桃などのすべりやすい物をクッキンググローブ１００を介して掴むことにより、滑らずに皮剥きを行うことができる。
【００３０】
第四に、布製の従来のミントと異なり、本実施形態に係るクッキンググローブ１００は汚れたらすぐに水洗いすることが可能である。また、クッキンググローブ１００は耐熱性を有しているため、例えば食器乾燥機で乾燥させることも可能である。
【００３１】
第五に、凸部１６０はクッキンググローブ１００の表裏両面に形成されているため、クッキンググローブ１００を左右両用に使用することができる。
【００３２】
第六に、滑り止めとして機能する凸部１６０に加えて、シリコン素材はもともと滑り止めの機能が高いため、シリコンからなる凸部１６０は高い滑り止めの機能を提供する。このため、例えば、固くフタが閉まっているビンのフタ開けにもクッキンググローブ１００を用いることができる。
【００３３】
なお、本実施形態に係るクッキンググローブ１００は上述の構成に限定されるものではなく、種々の改変が可能である。
【００３４】
本実施形態に係るクッキンググローブ１００はシリコンからつくられているが、クッキンググローブ１００の素材はシリコンには限定されない。耐熱性を有する素材であれば、どのような素材でも用いることができる。ただし、シリコンは高い摩擦係数を有しているため、最も好ましい素材はシリコンである。
【００３５】
本実施形態に係るクッキンググローブ１００における凸部１６０はハート型に形成されているが、凸部１６０の形状はハート型には限定されない。多角形、円形などの任意の形状を取ることが可能である。
【図面の簡単な説明】
【００３６】
【図１】本考案の一実施形態に係るクッキンググローブを一方の側から見たときの平面図である。
【図２】本考案の一実施形態に係るクッキンググローブを他方の側から見たときの平面図である。
【符号の説明】
【００３７】
１００  本考案の一実施形態に係るクッキンググローブ
１１０  親指用の指入れ部分
１２０  人指し指用の指入れ部分
１３０  中指用の指入れ部分
１４０  薬指用の指入れ部分
１５０  小指用の指入れ部分
１６０  凸部
１７０  穴
【図１】
0003116725.tif 000003
【図２】
0003116725.tif 000004